(57)【特許請求の範囲】
【請求項１】
竪樋に介装されて、当該竪樋を流下する雨水を取り出して貯留タンクに導くための竪樋用取水継手であって、
上端部が上方の上記竪樋と連通するように接続された外筒と、この外筒内に配置されて下端部が下方の上記竪樋と連通する内筒とを備え、上記外筒の下端部と上記内筒の外周面との間が封じられることにより上記外筒と内筒との間に雨水溜部が形成されるとともに、上記雨水溜部内の雨水を外部の上記貯留タンクに導く取水部が接続され、
かつ上記内筒の上方に位置する上記外筒の内周面に、板面を鉛直方向に沿わせて上記外筒の中心側に向けて突出するとともに、当該中心側に位置する先端縁部が上方から下方に向けて漸次上記外筒の内周面側から上記内筒の上方位置まで延出する複数枚の仕切り板が周方向に間隔をおいて設けられ、
上記仕切り板は、上記先端縁部の最も中心側に位置する最先端縁部が円弧状に形成されているとともに、当該最先端縁部から上記内筒の外方側まで傾斜し、下端縁部が上記雨水溜部の上方位置に配設されていることを特徴とする竪樋用取水継手。
【請求項２】
上記外筒の上端部には、蓋部材が着脱自在に設けられているとともに、当該蓋部材の上面に上記竪樋の最小外形規格寸法に対応した孔部およびこの最小外径規格寸法より大きい外径規格寸法の上記竪樋と角形の上記竪樋の規格寸法とに対応した切削用案内溝が各々１つ以上形成され、かつ当該孔部または当該切削用案内溝に沿って切除した孔部を介して上記竪樋が接続されていることを特徴とする請求項１に記載の竪樋用取水継手。
【請求項３】
上記取水部は、上記外筒の外周に接続されているとともに、上記雨水溜部への開口部の下側縁部が、上記内筒の上端部より下方側の位置に配設されていることを特徴とする請求項１または２に記載の竪樋用取水継手。
【発明の詳細な説明】
【技術分野】
【０００１】
本発明は、竪樋を流下する雨水を取り出して、外部の貯留タンクに導くための竪樋用取水継手に関するものである。
【背景技術】
【０００２】
近年の水不足や地球環境への意識の高まりから、雨水を取り出して利用する考えが広まってきている。また、近年増加の傾向にあるゲリラ豪雨により、都市化が進む地域においては、雨水の不浸透面積率が上昇し、雨水排水施設への雨水流入量は年々増大する傾向にあり、都市型水害の危険性の一つの要因になっている。このため、雨水排水ポンプを的確に運用して、浸水を防止することが求められているが、当該雨水排水ポンプには様々な運転制約があり、降雨状況をもとに雨水の流入を予測・先取りした操作が必要となることから、地域によっては、竪樋に流下する大量の雨水を各家庭において貯留して、水害による被害を最小限に抑える試みが行われている。
【０００３】
そこで、下記特許文献１において、上下が開口された継手本体の内部に、短管の下部外周が鍔部を介して上記継手内面に固着されているとともに、当該短管の外側に集水溝が形成され、上記継手本体の外面に上記集水溝の底面と連結する取水管が設けられ、かつ上記集水溝が水平方向に形成された取水用雨樋継手が提案されている。
【０００４】
この従来の取水用雨樋継手は、家屋や物置などに設けられている竪樋に介在させることにより、当該竪樋を流下する雨水を上記集水溝において集水し、上記集水溝の底面に連結している取水管から取り出してタンクに貯留するものである。また、タンクの容量を大きくすることにより、ゲリラ豪雨などの大量の雨水を一時的に貯留することが可能となる。そして、タンクに貯留した雨水は、花壇などの散布用として、また打ち水として利用することができる。
【０００５】
しかしながら、上記従来の取水用雨樋継手は、上記竪樋に入り込むゴミや枯れ葉などが、雨水と共に上記集水溝に溜まった場合、上記取水管を塞いで、雨水を上記タンクに貯留することができず、雨水を利用することができない。そのため、ゴミや枯れ葉が溜まるたびに、上記取水用雨樋継手の清掃が必要となる。特に、近年問題となっているゲリラ豪雨などが発生した場合は、大量の雨水と共にゴミや枯れ葉も竪樋内を大量に流下する可能性があるため、ゲリラ豪雨のたびに上記取水用雨樋継手を清掃する必要があるとともに、大量の雨水を貯留することよる水害の抑制効果を期待することができないという問題がある。
【０００６】
そこで、下記特許文献２において、上側縦樋と下側縦樋との間に介在し、前記下側縦樋の開口端に嵌合するように構成した雨水を取水する筒状の継手であって、前記継手が、部分的に外筒と内筒よりなる異径同心二重筒状構造を有し、外筒上端開口部は内筒上端開口部より高く位置する一方、外筒下端開口部は内筒下端開口部より低く位置し、前記外筒及び内筒で区切られた空間は前記内筒下端開口部の等高面で閉じられ、雨水溜を形成するとともに、前記外筒上端開口部より下方、且つ前記内筒上端開口より上方の前記雨水溜の上方全面を覆うように載置される濾過部材と、前記雨水溜底部の外筒に外部へ連通する取水管と、前記雨水溜底面より下方に延びた前記外筒よりなる散水管に下側縦樋に接続する着脱容易な嵌合部とを備えた雨水取水継手が提案されている。
【０００７】
この従来の雨水取水継手は、上記外筒上端開口部より下方、且つ上記内筒上端開口より上方の上記雨水溜の上方全面に、上記濾過部材を載置して覆うため、上記上側縦樋の上流から紙ゴミや枯れ葉などが流れてきた場合に、この紙ゴミや枯れ葉が上記雨水溜に入り込むのを防ぐことができ、上記雨水溜底部の外筒に形成された取水管を紙ゴミや枯れ葉などにより塞いでしまうことがない。
【０００８】
ところが、特にゲリラ豪雨が発生した場合には、大量の雨水と共に屋根や横樋に堆積した紙ゴミや枯れ葉が、一気に竪樋に流れ込む可能性があるため、上記濾過部材が紙ゴミや枯れ葉により目詰まりを起こし、上記雨水溜に水が流れなくなり、タンクに雨水を溜めることができない。また、上記濾過部材をゴミや枯れ葉が塞ぐととともに、上記内筒内にゴミや枯れ葉が詰まった場合には、上記ゲリラ豪雨により流れ込んだ大量の雨水が逆流し、横樋から家屋内部に流れ込んでしまうという問題がある。
【先行技術文献】
【特許文献】
【０００９】
【特許文献１】特開２０００−２４８６９８号公報
【特許文献２】特開２００２−７００８６号公報
【発明の概要】
【発明が解決しようとする課題】
【００１０】
本発明は、かかる事情に鑑みてなされたもので、ゲリラ豪雨が発生して大量の雨水が竪樋内を流下した場合でも、紙ゴミや枯れ葉などによって貯留タンクへの流路を塞ぐことなく、雨水のみを取り出して貯留タンクに溜めることが可能な竪樋用取水継手を提供することを課題とするものである。
【課題を解決するための手段】
【００１１】
上記課題を解決するために、請求項１に記載の発明は、竪樋に介装されて、当該竪樋を流下する雨水を取り出して貯留タンクに導くための竪樋用取水継手であって、上端部が上方の上記竪樋と連通するように接続された外筒と、この外筒内に配置されて下端部が下方の上記竪樋と連通する内筒とを備え、上記外筒の下端部と上記内筒の外周面との間が封じられることにより上記外筒と内筒との間に雨水溜部が形成されるとともに、上記雨水溜部内の雨水を外部の上記貯留タンクに導く取水部が接続され、かつ上記内筒の上方に位置する上記外筒の内周面に、板面を鉛直方向に沿わせて上記外筒の中心側に向けて突出するとともに、当該中心側に位置する先端縁部が上方から下方に向けて漸次上記外筒の内周面側から上記内筒の上方位置まで延出する複数枚の仕切り板が周方向に間隔をおいて設けられ、上記仕切り板は、上記先端縁部の最も中心側に位置する最先端縁部が円弧状に形成されているとともに、当該最先端縁部から上記内筒の外方側まで傾斜し、下端縁部が上記雨水溜部の上方位置に配設されていることを特徴とするものである。
【００１３】
また、請求項２に記載の発明は、請求項１に記載の発明において、上記外筒の上端部には、蓋部材が着脱自在に設けられているとともに、当該蓋部材の上面に上記竪樋の最小外形規格寸法に対応した孔部およびこの最小外径規格寸法より大きい外径規格寸法の上記竪樋と角形の上記竪樋の規格寸法とに対応した切削用案内溝が各々１つ以上形成され、かつ当該孔部または当該切削用案内溝に沿って切除した孔部を介して上記竪樋が接続されていることを特徴とするものである。
【００１４】
そして、請求項３に記載の本発明は、請求項１または２に記載の発明において、上記取水部は、上記外筒の外周に接続されているとともに、上記雨水溜部への開口部の下側縁部が、上記内筒の上端部より下方側の位置に配設されていることを特徴とするものである。
【発明の効果】
【００１６】
請求項１〜３に記載の本発明によれば、竪樋の内壁に沿って流下する雨水を雨水溜部により溜めて、溜まった雨水を外筒の外周に接続された取水部から外部の貯留タンクへと導くため、上記竪樋を流下する雨水を効率良く貯留タンクに溜めることができる。これにより、排水ポンプなどを必要とせずに、雨水を容易に貯留タンクに溜めることができ、花壇などへ散水または打ち水として利用することができる。
【００１７】
また、上記外筒の下端部側の内部に内筒が配置されているため、ゲリラ豪雨などによって大量の雨水が上記竪樋内を流下した場合や、上記貯留タンクが満水状態になった場合でも、上記竪樋内を流下する雨水を直接または上記雨水溜部内から溢れ出した雨水を、上記内筒から下方の上記竪樋に導いて、外部に排水することができる。この結果、雨水が上記竪樋を逆流し、横樋から家屋に侵入することを防ぐことができる。
【００１８】
さらに、上記外筒の内周面の周方向に間隔をおいて設けられた複数枚の仕切り板が、板面を鉛直方向に沿わせて上記外筒の中心側に向けて突出しているとともに、当該中心側に位置する先端縁部が上方から下方に向けて漸次上記外筒の内周面側から上記内筒の上方位置まで延出しているため、上記竪樋内を流下する雨水に、紙ゴミや枯れ葉などが混在していた場合でも、上記仕切り板の傾斜した先端縁部により上記内筒内に導いて、下方の上記竪樋から外部に排出せることができる。これにより、紙ゴミや枯れ葉が上記雨水溜部に溜まることにより起こる上記取水部の詰まりを防止することができ、雨水を好適に上記貯留タンクに溜めることができる。
【００１９】
また、ゲリラ豪雨において大量の雨水と共に、大量の紙ゴミや枯れ葉が上記竪樋内を流下し、上記仕切り板の先端縁部に紙ゴミや枯れ葉が留まった場合でも、隣り合う上記仕切り板の間から雨水を上記雨水溜部に導くことができるとともに、上記先端縁部に留まった紙ゴミや枯れ葉を、大量の雨水によって上記内筒内に導き、下方の上記竪樋から外部に排出させることができる。これにより、大量の紙ゴミや枯れ葉によって、下流側への流路が塞がれて起こる雨水の逆流を防止するとともに、大量の雨水を貯留タンクに溜めて、水害による被害を抑制することができる。
【００２０】
そして、上記先端縁部の最も中心側の最先端縁部が円弧状に形成されているとともに、当該最先端縁部から上記内筒の外方側まで傾斜し、下端縁部が上記雨水溜部の上方位置に配設されているため、上記竪樋から上記外筒内を流下する雨水が、上記仕切り板の上記先端縁部を伝った際に、雨水が上記内筒内に流れ落ちることなく、上記最先端縁部から上記下端縁部まで導いて、上記雨水溜部内に落下させることができる。この結果、上記竪樋を流下する雨水を効率良く上記貯留タンクに溜めて、雨水の利用効率を向上させることができる。
【００２１】
請求項２に記載の発明によれば、上記外筒の上端部に着脱自在に設けられた蓋部材の上面に、上記竪樋の最小外形規格寸法に対応した孔部およびこの最小外径寸法より大きい外径規格寸法の上記竪樋と角形の上記竪樋の規格寸法とに対応した切削用案内溝が各々１つ以上形成されているため、上記外筒の上端部に上記竪樋を接続する際に、様々な規格の上記竪樋に対応させることができるとともに、上記外筒の上端部と上記竪樋との間に隙間が生じることを防ぐことができる。これにより、上記外筒の上端部からゴミや枯れ葉の侵入を防ぐことができるとともに、竪樋用取水継手を上記竪樋に安定して接続することができる。
【００２２】
請求項３に記載の発明によれば、上記外筒の外周に接続された上記取水部の上記雨水溜部への開口部の下側縁部が、上記内筒の上端部より下方側の位置に配設されているため、上記雨水溜部に溜まった雨水を効率的に上記取水部から外部の上記貯留タンクに導くことができるとともに、ゲリラ豪雨などにより大量の雨水が、上記竪樋内を流下した場合や、上記貯留タンクが一杯になった場合に、上記内筒から下方の上記竪樋に導くことができる。
【００２３】
また、上記開口部の上記下側縁部を、上記雨水溜部の底部よりも上方側の位置に配設することにより、上記雨水溜部に溜まった雨水をオーバーフローによって、上記取水部から上記貯留タンクに導くことができる。この結果、上記竪樋を流下する雨水に粉塵や泥が混在した場合、これら粉塵や泥を上記雨水溜部の底部に留めて、雨水のみを上記貯留タンクに導くことができる。
【図面の簡単な説明】
【００２６】
【図１】本発明の竪樋用取水継手の一実施形態を示し、（ａ）は平面図、（ｂ）は正面断面図である。
【図２】（ａ）〜（ｃ）は、本発明の竪樋用取水継手を竪樋に接続する一連の流れを示す正面断面図である。
【図３】本願発明の竪樋用取水継手を家屋の竪樋に介装して貯留タンクに接続した状態を示す概略図である。
【発明を実施するための形態】
【００２７】
図１および図２に示すように、本発明の一実施形態の竪樋用取水継手１は、上端部２ａが上方の竪樋１２と連通する外筒２と、この外筒２内に配置されて下端部が下方の竪樋１２と連通する内筒３と、外筒２の上端部２ａに着脱自在に設けられた蓋部材７とを備え、外筒２の下端部２ｂと内筒３の外周面との間がフランジ部１０によって封じられて、外筒２と内筒３との間に雨水溜部４が形成されているとともに、雨水溜部４内の雨水を外部の貯留タンク１３に導く取水部５が接続され、かつ内筒３の上方に位置する外筒２の内周面に、板面を鉛直方向に沿わせて外筒２の中心側に向けて突出する複数枚の仕切り板６が周方向に間隔をおいて設けられることにより概略構成されている。
【００２８】
ここで、外筒２は、下方の竪樋１２に連通する内筒３および雨水溜部４内の雨水を貯留タンク１３に導く取水部５を備えた第１筒状体８と、内周面に複数枚の仕切り板６が周方向に間隔をおいて設けられた第２筒状体９とにより構成されている。また、仕切り板６は、第２の筒状体９の下端部９ｂ側から外方に突出して形成されているとともに、突出した仕切り板６が第１筒状体８の内方に配設され、かつ内筒３の上方に配設されている。さらに、第１筒状体８と第２筒状体９とが、着脱自在に係合されている。
【００２９】
この第１筒状体８は、内部に内筒３を配置した二重筒状体をなし、内筒３の下端部３ｂ側の外周面に、フランジ部１０が一体に周設されているとともに、このフランジ部１０の外周縁部と第１筒状体８の内周面とが一体に形成されている。また、このフランジ部１０によって、第１筒状体８の下端部と内筒３の外周面との間が封じられ、第１筒状体と内筒３の外周面との間に雨水溜部４が形成されている。そして、フランジ部１０は、第１筒状体８の下端部８ｂ側に、内筒３に連通するとともに、下方の竪樋１２に連通する接続管１１が一体に形成されている。この接続管１１の外周面と第１筒状体８の内周面との間に、竪樋１２が接続される。
【００３０】
また、第１筒状体８の外周には、雨水溜部４内に溜まった雨水を外部の貯留タンク１３に導く取水部５が形成されている。この取水部５は、雨水溜部４と外部とを連通するとともに、雨水溜部４への開口部の下方縁部５ａが、内筒３の上端部３ａよりも下方側に配設されているとともに、フランジ部１０の上面よりも上方に配設されている。
【００３１】
そして、第２筒状体９の下端部９ｂ側から突出し、第１筒状体８の内筒３の上方位置に配設された１２枚の仕切り板６は、各々が第２筒状体９の内周面に、板面を鉛直方向に沿わせ第１筒状体８の中心側に向けて突出するとともに、当該中心側に位置する先端縁部６ａが上方から下方に向けて漸次第１筒状体８の内周面側から内筒３の上方位置まで延出している。また、最も上記中心側に位置する最先端縁部６ｅが円弧状に形成されているとともに、最先端縁部６ｅから内筒３の外方側まで傾斜し、かつ連続する円弧状の角隅部を介して形成された下端縁部６ｂが、上記雨水溜部４の上方位置に配設されている。この下端縁部６ｂは、第２筒状体９の径方向に対して水平に形成されている。
【００３２】
さらに、仕切り板６は、下端縁部６ｂの第１筒状体８の内周面側に連続する円弧状の角隅部を介して、第２筒状体９の下端部に向かって垂直に延在する後端縁部６ｃが形成されている。この後端縁部６ｃは、第１筒状体８の内周面よりも内方側に配設されているとともに、第２筒状体９の下端部９ｂ側に、第１筒状体８の内周面と係合する係合部６ｄが形成されている。
【００３３】
また、外筒２の上端部２ａに着脱自在に設けられた蓋部材７は、中心に直径５５ｍｍの竪樋１２用の孔部が開口されている。この孔部は、竪樋１２の最小外径規格寸法に対応している。そして、蓋部材７の上面には、切削用案内溝７ａが１つ以上形成されている。この切削用案内溝７ａは、竪樋１２の最小外径規格寸法よりも大きい外径規格寸法の竪樋１２、および角形の竪樋１２の規格寸法に対応し、各々２つ形成されている。この竪樋１２の規格は、例えば、直径６５ｍｍと直径７５ｍｍの円筒状の外径寸法の竪樋１２と、６０ｍｍ×６０ｍｍと６０ｍｍ×５０ｍｍの角形の竪樋１２である。
【００３４】
以上の構成による竪樋用取水継手１を用いて、竪樋を流下する雨水を取り出して、外部の貯留タンク１３に溜めるには、まず、図２（ａ）に示すように、竪樋１２に竪樋用取水継手１を介装するための切除部を形成する。この切除部の位置は、竪樋用取水継手１を竪樋１２に介装した際に、雨水を貯留タンク１３に導く必要があるため、貯留タンク１３よりも上方に設定する。また、上記切除部は、竪樋１２の鉛直方向に対する長さ寸法を、第２筒状体９の上端部９ａから、この第２筒状体９の下端部９ｂより突出している仕切り板６の下端縁部６ｂまでの長さ寸法よりも少し大きめに設定して切除する。
【００３５】
そして、図２（ａ）に示すように、竪樋１２の上記切除部から上方の竪樋１２に、蓋部材７の上面に形成された開口部を挿通させて、蓋部材７を竪樋１２の上側に移動させる。この際に、竪樋１２の規格寸法が、竪樋１２の最小規格外径寸法よりも大きい場合には、蓋部材７の上面に形成された切削用案内溝７ａから、利用する竪樋１２の大きさに対応する切削用案内溝７ａを選択し、選択した切削用案内溝７ａに沿ってナイフなどで上面を切除した後、竪樋１２に上面を切除した開口部を挿通させる。
【００３６】
さらに、竪樋１２の上記切除部から上方の竪樋１２に、第２筒状体８を挿通させ、この第２筒状体８を図２（ｂ）に示すように、竪樋１２の上側に移動させるとともに、蓋部材７を第２筒状体９の上端部９ａに係合させる。そして、図２（ｃ）に示すように、第１筒状体８を竪樋１２の上記切除部から、第１筒状体８の下端部８ｂ内に形成された接続管１１を下方の竪樋１２に挿入する。これにより、第１筒状体８は、竪樋１２に係合されるとともに、フランジ部１０の裏面側に竪樋１２の端部が当接して、第１筒状体８内の内筒３と竪樋１２とが連通して接続される。
【００３７】
そして、上方の竪樋１２の上側に移動した第２筒状体９を下側に移動し、第１筒状体８に係合させる。この際に、第１筒状体８の上端部８ａの内周面が、第２筒状体９の下端部９ｂから突出している各々の仕切り板６の後端縁部６ｃに形成された係合部６ｄに係合されるとともに、第１筒状体８の端面と第２筒状体９の端面とが当接される。
【００３８】
このようにして、竪樋用取水継手１は、図３に示すように、家屋ｋなどに設けられた竪樋１２に介装される。そして、雨水を溜める貯留タンク１３を竪樋１２の近傍に設置するとともに、第１筒状体の外周に接続された取水部５と貯留タンク１３とをホースｔにより接続する。
【００３９】
そして、雨が降ると、その雨が直接または屋根から横樋を伝い、雨水として竪樋１２を流下する。さらに、竪樋１２内を流下する雨水が、竪樋１２に介装された竪樋用取水継手１内の雨水溜部４に流れ落ちて溜まる。この際に、竪樋１２内を流下する雨水が少量の場合には、外筒２の内周面に沿って雨水溜部４に流れ落ちる。また、ゲリラ豪雨などにより、大量の雨水が竪樋１２を流下した場合、雨水が直接内筒３から下方の竪樋１２に流下するとともに、雨水溜部４が瞬時に許容範囲を超えて、許容範囲を超えた雨水が内筒３の上端部３ａから下方の竪樋１２に流れ出して外部に排水される。
【００４０】
また、屋根や横樋に留まっていた紙ゴミや枯れ葉が、雨水と共に竪樋１２を流下した場合は、紙ゴミや枯れ葉は、外筒２の内周面に１２枚設けられた仕切り板６の傾斜した先端縁部６ａを伝い、最先端縁部６ｅから内筒３内に落下し、下方の竪樋１２を通って雨水と共に外部に排出される。
【００４１】
さらに、ゲリラ豪雨などによって、大量の雨水と共に大量の紙ゴミや枯れ葉が竪樋１２に流下した際に、紙ゴミや枯れ葉が仕切り板６の先端縁部６ａまたは最先端縁部６ｅに、一旦留まったとしても、上方の竪樋１２から流下する大量の雨水によって、内筒３内に押し出され、雨水と共に下方の竪樋１２を通って外部に排出される。
【００４２】
また、泥や粉塵など細かなゴミは、雨水と共に雨水溜部４に流れ落ちて溜まるが、外筒２の外周に接続された取水部５の下側縁部５ａが、雨水溜部４の底部のフランジ部１０よりも上方側に配設されているため、泥や粉塵は雨水溜部４の底部に沈殿して、雨水のみがオーバーフローによって、取水部５から貯留タンク１３に導かれる。
【００４３】
上述の実施形態による竪樋用取水継手１によれば、外筒２が、仕切り板６を備えた第１筒状体８と、内筒３および取水部５を備えた第２筒状体９とにより構成されているとともに、第１筒状体８と第２筒状体９とが着脱自在に設けられているため、第１筒状体８と第２筒状体９を分離し、各々を個別に竪樋１２に介装した後に、第１筒状体８と第２筒状体９を係合することにより、竪樋１２に簡便に介装して接続することができる。
【００４４】
また、竪樋１２の内壁に沿って流下する雨水を雨水溜部４により溜めて、溜まった雨水を第１筒状体８の外周に接続された取水部から外部の貯留タンク１３へと導くため、竪樋１２を流下する雨水を効率良く貯留タンク１３に溜めることができる。これにより、排水ポンプなどを必要とせずに、雨水を容易に貯留タンク１３に溜めることができ、花壇などへの散水用または打ち水として利用することができる。
【００４５】
そして、第１筒状体８内に内筒３が配置されているため、ゲリラ豪雨によって大量の雨水が竪樋１２内を流下した場合や、貯留タンク１３が満水状態になった場合でも、竪樋１２内を流下する雨水を直接または雨水溜部４内から溢れ出した雨水を、内筒３から下方の竪樋１２に導いて、外部に排水することができる。この結果、雨水が竪樋１２を逆流し、横樋から家屋内に侵入することを防ぐことができる。
【００４６】
さらに、第２筒状体９の内周面の周方向に間隔をおいて設けられた１２枚の仕切り板６が、板面を鉛直方向に沿わせて第１筒状体８の中心側に向けて突出しているとともに、当該中心側に位置する先端縁部６ａが上方から下方に向けて漸次第２筒状体９の内周面側から内筒３の上方位置まで延出しているため、竪樋１２内を流下する雨水に、紙ゴミや枯れ葉などが混在していた場合でも、仕切り板６の傾斜した縁部によって内筒３内に導いて、下方の竪樋１２から外部に排出せることができる。これにより、紙ゴミや枯れ葉が雨水溜部４に溜まることにより起こる取水部５の詰まりを防止することができ、雨水を好適に貯留タンク１３に溜めることができる。
【００４７】
また、ゲリラ豪雨などで大量の雨水と共に、大量の紙ゴミや枯れ葉が流下し、仕切り板６の先端縁部６ａまたは最先端縁部６ｅに紙ゴミや枯れ葉が留まった場合でも、隣り合う仕切り板６の間から雨水を雨水溜部４に導くことができるとともに、先端縁部６ａに留まった紙ゴミや枯れ葉を、大量の雨水によって内筒３内に導き、下方の竪樋１２から外部に排出させることができる。これにより、大量の紙ゴミや枯れ葉によって、下流側への流路が塞がれて起こる雨水の逆流を防止するとともに、大量の雨水を貯留タンク１３に溜めて、水害による被害を抑制することができる。
【００４８】
そして、仕切り板６の先端縁部６ａの最も中心側の最先端縁部６ｅが円弧状に形成されているとともに、最先端縁部６ｅから内筒３の外方側まで傾斜し、下端縁部６ｂが雨水溜部４の上方位置に配設されているため、竪樋１２から第１筒状体８内を流下する雨水が、仕切り板６の先端縁部６ａを伝った際に、雨水が内筒３内に流れ落ちることなく、最先端縁部６ｅから下端縁部６ｂまで導いて、雨水溜部４内に落下させることができる。この結果、竪樋１２を流下する雨水を効率良く貯留タンク１３に溜めて、雨水の利用効率を向上させることができる。
【００４９】
さらに、第２筒状体９の上端部９ａに着脱自在に設けられた蓋部材７の上面に、竪樋１２の最小外形規格寸法に対応した孔部およびこの最小外径規格寸法より外径規格寸法の大きい竪樋１２と角形の竪樋１２とに対応した切削用案内溝７ａが各々１つ以上形成されているため、第２筒状体９の上端部９ａに竪樋１２を接続する際に、様々な規格の竪樋１２に対応させることができるとともに、第２筒状体９の上端部９ａと竪樋１２との間に隙間が生じることを防ぐことができる。これにより、第２筒状体９の上端部９ａからゴミや枯れ葉の侵入を防ぐことができるとともに、竪樋用取水継手１を竪樋１２に安定して接続することができる。
【００５０】
また、第１筒状体８の外周に接続された取水部５の雨水溜部４への開口部の下側縁部５ａが、内筒３の上端部３ａより下方側の位置に配設されているとともに、下端縁部５ａが雨水溜部４の底部のフランジ部１０よりも上方側の位置に配設されているため、雨水溜部４に溜まった雨水を効率的に取水部５から外部の貯留タンク１３に導くことができるとともに、雨水溜部４に溜まった雨水をオーバーフローによって、取水部５から貯留タンク１３に導くことができる。この結果、竪樋１２を流下する雨水に粉塵や泥が混在していた場合に、これら粉塵や泥を雨水溜部４の底部に留めて、雨水のみを貯留タンク１３に導くことができる。
【００５１】
そして、第２筒状体９の下端部から仕切り板６が突出していいるため、万一１２枚の仕切り板６に紙ゴミや枯れ葉が詰まった場合でも、第１筒状体８と第２筒状体９を分離させることにより、詰まった紙ゴミや枯れ葉を容易に取り除くことができる。
【００５２】
なお、上記実施の形態において、第２筒状体９の内周面に周設された仕切り板６を１２枚用いる場合のみ説明したが、これに限定されるものでなく、第２筒状体９の内径に応じて枚数が増減され、例えば、内径が大きい場合には、仕切り板６の枚数を増やし、内径が小さい場合には、仕切り板６の枚数を減らすことにより対応可能である。
【産業上の利用可能性】
【００５３】
円筒状または角形の竪樋から雨水を取り出して、貯留タンクに溜める際に用いることができる。
【符号の説明】
【００５４】
１  竪樋用取水継手
２  外筒
２ａ  上端部
２ｂ  下端部
３  内筒
３ａ  上端部
４  雨水溜部
５  取水部
６  仕切り板
６ａ  先端縁部
６ｅ  最先端縁部
７  蓋部材
８  第１筒状体
９  第２筒状体
１０  フランジ部
１１  接続管
【図１】
0005472335.tif 000002
【図２】
0005472335.tif 000003
【図３】
0005472335.tif 000004